(57)【要約】【課題】より簡単に監視制御装置に表示される画面を監視制御装置以外の装置に表示させることができる監視制御システムの試験支援システム及び監視制御システムの試験支援方法、及び端末装置を提供することである。【解決手段】実施形態の監視制御システムの試験支援システムは端末装置と監視制御装置とを持つ。端末装置は、監視データ記憶部と、第１同期処理部と、画面データ生成部とを持つ。監視データ記憶部は、監視データを記憶する。第１同期処理部は、監視制御装置と同期をとるための同期信号を監視制御装置に送信し、監視データを監視データ記憶部に記憶させる。画面データ生成部は、監視対象機器に対する稼動試験の状況を示す画面データを生成する。監視制御装置は、第２同期処理部と、送信部とを持つ。第２同期処理部は、監視制御装置が記憶する監視データが端末装置に記憶されるように同期をとる。送信部は、監視データを端末装置に対して送信する。【選択図】図１
2019032702.tif 000002
【特許請求の範囲】
【請求項１】
端末装置と監視制御装置とがネットワークを介して接続される監視制御システムの試験支援システムであって、
前記端末装置は、
監視対象機器の稼働状況を示す監視データを記憶する監視データ記憶部と、
前記監視制御装置と前記監視データに関する同期をとるための同期信号を前記監視制御装置に送信し、前記監視制御装置から取得した前記監視データを前記監視データ記憶部に記憶させる第１同期処理部と、
前記監視データに基づいて、前記監視制御装置に表示される前記監視対象機器に対する稼動試験の状況を示す画面データを生成する画面データ生成部と、
を備え、
前記監視制御装置は、
前記同期信号を受信すると、前記監視制御装置が記憶する前記監視データと同一の前記監視データが前記端末装置に記憶されるように前記端末装置と同期をとる第２同期処理部と、
前記端末装置と同期がとられると、前記監視対象機器から取得した前記監視データを前記端末装置に対して送信する送信部と、
を備える、
監視制御システムの試験支援システム。
【請求項２】
前記第２同期処理部は、同期がとられる前記端末装置に対して前記監視制御装置に行われた処理を送信し、
前記画面データ生成部は、前記処理に応じた画面データを生成する、
請求項１に記載の監視制御システムの試験支援システム。
【請求項３】
前記第１同期処理部は、前記監視制御装置との通信状態が所定の条件を満たした場合、前記第２同期処理部に対して通信状態を改善させる処理を行う請求項１又は２に記載の監視制御システムの試験支援システム。
【請求項４】
前記第１同期処理部は、前記監視制御装置との通信品質を示す通信状態を表示させる、
請求項１から３のいずれか一項に記載の監視制御システムの試験支援システム。
【請求項５】
前記端末装置は、
ユーザからの指示を受け付ける入力部と、
同期が行われている前記第２同期処理部に対してユーザから受け付けた指示を送信する指示部と、
を更に備え、
前記第２同期処理部は、前記指示を前記監視対象機器に対して送信する、
請求項１から４のいずれか一項に記載の監視制御システムの試験支援システム。
【請求項６】
前記ネットワークは、有線ＬＡＮ、無線ＬＡＮ、キャリアネットワーク又はインターネットのうちいずれか一つ以上である、請求項１から４のいずれか一項に記載の監視制御システムの試験支援システム。
【請求項７】
前記ネットワークは、前記端末装置を複数台接続可能である、請求項１から６のいずれか一項に記載の監視制御システムの試験支援システム。
【請求項８】
監視対象機器の稼働状況を示す監視データを記憶する監視データ記憶部と、
監視制御装置と前記監視データに関する同期をとる第１同期信号を送信し、前記監視データを前記監視データ記憶部に記憶させる第１同期処理部と、
前記監視データに基づいて、前記監視制御装置に表示される画面データを生成する画面データ生成部と、
を備える端末装置。
【請求項９】
端末装置と監視制御装置とがネットワークを介して接続される監視制御システムの試験支援システムが有する試験支援方法であって、
端末装置が、監視対象機器の稼働状況を示す監視データを記憶する監視データ記憶ステップと、
端末装置が、前記監視制御装置と前記監視データに関する同期をとるための同期信号を前記監視制御装置に送信し、前記監視制御装置から取得した前記監視データを監視データ記憶部に記憶させる第１同期処理ステップと、
端末装置が、前記監視データに基づいて、前記監視対象機器に対する稼動試験の状況を示す画面データを生成する画面データ生成ステップと、
を有し、
監視制御装置は、前記同期信号を受信すると、前記監視制御装置が記憶する前記監視データと同一の前記監視データが前記端末装置に記憶されるように前記端末装置と同期をとる第２同期処理ステップと、
監視制御装置は、前記端末装置と同期がとられると、前記監視対象機器から取得した前記監視データを前記端末装置に対して送信する送信ステップと、
を有する
監視制御システムの試験支援方法。
【発明の詳細な説明】
【技術分野】
【０００１】
本発明の実施形態は、監視制御システムの試験支援システム、監視制御システムの試験支援方法及び端末装置に関する。
【背景技術】
【０００２】
監視制御システムの現地試験調整では、電気室、機械室又は遠方のステーション等のプラントの現場と監視制御装置とそれぞれに試験員が配置される。試験員は、無線連絡又は電話連絡でお互いに連携を取りながら、プラントのインターフェース試験を行う。しかし、プラントの現場にいる試験員は、監視制御装置の画面が確認できないため、作業効率がよくなかった。そこで、プラントの現場にいる試験員が監視制御装置の画面を確認できるようにするためには、リモートサーバを設置し、監視制御装置のソフトウェア設計及びソフトウェア変更が必要となる場合があった。
【先行技術文献】
【特許文献】
【０００３】
【特許文献１】特開２００３−２２３２１８号公報
【特許文献２】特開２００８−１４７８９２号公報
【特許文献３】特開平１０−２４０３３６号公報
【特許文献４】特開２０１３−１２０５３６号公報
【特許文献５】特開２０１５−１２５５９１号公報
【発明の概要】
【発明が解決しようとする課題】
【０００４】
本発明が解決しようとする課題は、より簡単に監視制御装置に表示される画面を監視制御装置以外の装置に表示させることができる監視制御システムの試験支援システム及び監視制御システムの試験支援方法、及び端末装置を提供することである。
【課題を解決するための手段】
【０００５】
実施形態の監視制御システムの試験支援システムは端末装置と監視制御装置とを持つ。端末装置は、監視データ記憶部と、第１同期処理部と、画面データ生成部とを持つ。監視データ記憶部は、監視対象機器の稼働状況を示す監視データを記憶する。第１同期処理部は、前記監視制御装置と前記監視データに関する同期をとるための同期信号を前記監視制御装置に送信し、前記監視制御装置から取得した前記監視データを前記監視データ記憶部に記憶させる。画面データ生成部は、前記監視データに基づいて、前記監視対象機器に対する稼動試験の状況を示す画面データを生成する。監視制御装置は、第２同期処理部と、送信部とを持つ。第２同期処理部は、前記同期信号を受信すると、前記監視制御装置が記憶する前記監視データと同一の前記監視データが前記端末装置に記憶されるように前記端末装置と同期をとる。送信部は、前記端末装置と同期がとられると、前記監視対象機器から取得した前記監視データを前記端末装置に対して送信する。
【図面の簡単な説明】
【０００６】
【図１】実施形態の試験支援システム１のシステム構成図。
【図２】実施形態の端末装置１００の機能構成を表す機能ブロック図。
【図３】実施形態の監視制御装置２００の機能構成を表す機能ブロック図。
【図４】実施形態のコントローラ３００の機能構成を表す機能ブロック図。
【図５】実施形態の試験の処理の流れの一具体例を示すフローチャート。
【図６】リモートサーバを設置した場合の試験支援システムのシステム構成図。
【発明を実施するための形態】
【０００７】
以下、実施形態の監視制御システムの試験支援システム、監視制御システムの試験支援方法及び端末装置を、図面を参照して説明する。
【０００８】
図１は、実施形態の試験支援システム１のシステム構成図である。試験支援システム１は、端末装置１００、監視制御装置２００及びコントローラ３００を備える。端末装置１００及び監視制御装置２００は、第１閉域ネットワーク４０１を介して互いに通信可能に接続される。端末装置１００は、広域ネットワーク４０３を介して、第１閉域ネットワーク４０１に接続されてもよい。監視制御装置２００とコントローラ３００は、第２閉域ネットワーク４０２を介して互いに通信可能に接続される。第１閉域ネットワーク４０１及び第２閉域ネットワーク４０２は、例えば、ＬＡＮ（Local Area Network）である。広域ネットワーク４０３は、例えばキャリアネットワークやインターネットである。試験支援システム１は、監視制御装置２００上の専用のアプリケーションで、各プラントの信号データやグラフィック画面を生成する。
【０００９】
端末装置１００は、パーソナルコンピュータ、タブレットコンピュータ又はスマートフォン等の情報処理装置である。端末装置１００は、ユーザからの操作に応じて、監視制御装置２００から監視データを取得する。端末装置１００は、監視データに基づいて、監視制御に関する画面を表示させる。監視データは、日付、時刻及び信号名等の監視対象機器の稼働状況を表すデータである。端末装置１００は、監視制御装置２００と同期することで、監視制御装置として機能する。端末装置１００は、ユーザに所有される。ユーザとは、監視制御システムの試験を行う者である。端末装置１００は、試験に用いられる装置である。端末装置１００は、第１閉域ネットワーク４０１に複数台接続されても良い。監視制御システムは、試験支援システム１の一態様である。
【００１０】
監視制御装置２００は、パーソナルコンピュータ、サーバ又は産業用コンピュータ等の情報処理装置である。監視制御装置２００は、コントローラ３００から監視対象機器の監視データを受信する。監視制御装置２００は、受信した監視データに基づいて、プラントの稼働状況を示す画面を生成する。プラントの稼働状況を示す画面は、例えば、トレンドグラフやプラント構成図等である。監視制御装置２００は、同期している端末装置１００に監視データを送信する。監視制御装置２００は、同期している端末装置１００からコントローラ３００に対する指示を受け付ける。監視制御装置２００は、受け付けた指示をコントローラ３００に送信する。
【００１１】
コントローラ３００は、ＰＬＣ（Programmable Logic Controller）等の制御装置である。コントローラ３００は、センサーやリレー回路を通じて監視対象機器の監視データを取得する。コントローラ３００は、取得した監視データを監視制御装置２００へ送信する。コントローラ３００は、コントローラ３００ごとに監視対象機器の正常動作、異常動作、水位や圧力等の監視データを送信する。コントローラ３００は、監視制御装置２００に複数台接続されてもよい。
【００１２】
図２は、実施形態の端末装置１００の機能構成を表す機能ブロック図である。端末装置１００は、仮想端末プログラムを実行することによって通信部１０１、入力部１０２、表示部１０３、監視データ記憶部１０４及び制御部１０５を備える装置として機能する。
【００１３】
通信部１０１は、ネットワークインタフェースである。通信部１０１は第１閉域ネットワーク４０１を介して、監視制御装置２００と通信する。通信部１０１は、例えば無線ＬＡＮ、有線ＬＡＮ、３Ｇ（Generation）又はＬＴＥ（Long Term Evolution）（登録商標）等の通信方式で通信してもよい。通信部１０１は、広域ネットワーク４０３を介して監視制御装置２００と通信してもよい。
【００１４】
通信部１０１は、電気室などの現場にＬＡＮが敷設され、スイッチングＨＵＢに空ポートがある場合、有線ＬＡＮで第１閉域ネットワーク４０１にアクセスしてもよい。通信部１０１は、キャリアネットワークの電波が届く場所や遠方局では、広域ネットワーク４０３を介して第１閉域ネットワーク４０１にアクセスしてもよい。通信部１０１は、キャリアネットワークの電波が届かない場所では、無線ＬＡＮアクセスポイント等の無線ＬＡＮで第１閉域ネットワーク４０１にアクセスしてもよい。
【００１５】
入力部１０２は、端末装置１００に対して指示を送る入力装置を用いて構成される。入力装置は、例えば、タッチペン、マウス、キーボード及びリモコン等である。入力部１０２は、表示部１０３と一体のタッチパネルとして構成されてもよい。入力部１０２がタッチパネルとして構成される場合、入力部１０２は、タッチ入力を受け付ける。入力部１０２は、入力装置を端末装置１００に接続するためのインタフェースであってもよい。この場合、入力部１０２は、入力装置において入力された入力信号から入力データ（例えば、端末装置１００に対する指示を示す指示情報）を生成し、端末装置１００に入力する。
【００１６】
表示部１０３は、液晶ディスプレイ、有機ＥＬ（Electro Luminescence）ディスプレイ等の出力装置である。表示部１０３は、出力装置を端末装置１００に接続するためのインタフェースであってもよい。この場合、表示部１０３は、映像データから映像信号を生成し、自身に接続されている映像出力装置に映像信号を出力する。
【００１７】
監視データ記憶部１０４は、磁気ハードディスク装置や半導体記憶装置等の記憶装置を用いて構成される。監視データ記憶部１０４は、監視データを記憶する。監視データは、監視対象機器からコントローラ３００によって取得されたデータである。監視データは、監視対象機器の稼働状況を示すデータである。稼働状況は、例えば、正常動作、異常動作、水位又は圧力等の情報である。
【００１８】
制御部１０５は、端末装置１００の各部の動作を制御する。制御部１０５は、例えばＣＰＵ（Central Processing Unit）及びＲＡＭ（Random Access Memory）を備えた装置により実行される。制御部１０５は、仮想端末プログラムを実行することによって、同期処理部１０６、データ取得部１０７、画面データ生成部１０８及び指示部１０９として機能する。
【００１９】
同期処理部１０６は、端末装置１００が、第１閉域ネットワーク４０１に接続された場合、監視制御装置２００と同期処理を行う。具体的には、端末装置１００の同期処理部１０６は、監視制御装置２００と監視データ及び処理に関する同期をとるための同期信号を監視制御装置２００に送信する。監視制御装置２００から同期信号に関する応答を受信した場合、端末装置１００と監視制御装置２００とは同期する。同期された場合、同期処理部１０６は、監視制御装置２００に行われた処理等をリアルタイムで表示部１０３やデータ取得部１０７に出力する。同期された場合、同期処理部１０６は、監視制御装置２００が記憶する監視データを監視データ記憶部１０４に記憶させる。監視制御装置２００に行われた処理とは、例えば、監視制御装置２００が監視データを取得したことであってもよいし、監視制御装置２００が監視対象機器の異常を検知したことであってもよい。すなわち、端末装置１００は、端末装置１００と監視制御装置２００とが同期をとることで、新しく設置された監視制御装置２００として動作する。同期処理部１０６が送信する同期信号は、第１同期信号の一態様である。
【００２０】
同期処理部１０６は、監視対象機器の故障状態が確認された結果が監視制御装置２００に表示された場合、確認された結果を表示部１０３に表示させてもよい。同期処理部１０６は、監視制御装置２００に関する情報をあらかじめ指定されていてもよいし、入力部１０２を介して、ユーザから受け付けてもよい。
【００２１】
同期処理部１０６は、監視制御装置２００との通信状態を表示部１０３に表示させてもよい。通信状態とは、例えば、パケットロスの有無、端末装置１００と監視制御装置２００との相互の通信データ量、通信断の可能性等の端末装置１００と監視制御装置２００との間の通信品質に関する情報である。同期処理部１０６は、通信状態が悪化（例えば、パケットロスが所定の閾値を超える等）する場合、監視制御装置２００に通信状態を改善させる処理を行う。通信状態を改善させる処理は、例えば、パケットの再送要求であってもよいし、どのような方法であってもよい。同期処理部１０６は、第１同期処理部の一態様である。
【００２２】
データ取得部１０７は、監視制御装置２００から監視データを取得する。データ取得部１０７は、取得した監視データを監視データ記憶部２０５に記憶させる。データ取得部１０７は、同期処理部１０６が監視制御装置２００に対して通信を行った場合、監視制御装置２００から監視データを取得する。データ取得部１０７は、監視制御装置２００が新しく監視データを受信した場合、受信したデータを取得する。
【００２３】
画面データ生成部１０８は、監視データに基づいて監視画面を生成する。画面データ生成部１０８は、生成された監視画面を表示部１０３に表示させる。監視画面は、監視制御装置２００に表示される画面と同じ種類の画面が生成される。画面データ生成部１０８は、入力部１０２を介して受け付けた指示に応じて、異なる監視画面を表示させてもよい。画面データ生成部１０８は、例えば、表示部１０３にプラント全体の状況を示す監視画面が表示されていたのを、試験用の監視画面に切り替えて表示させてもよい。画面データ生成部１０８は、監視対象機器に対する稼動試験の状況を示す画面データを生成する。
【００２４】
指示部１０９は、入力部１０２を介して受け付けた指示に基づいて、監視制御装置２００に対する指示情報を送信する。指示情報は、監視対象機器の状態を確認する指示や試験的に機器を稼働させる等の試験に関する指示である。
【００２５】
図３は、実施形態の監視制御装置２００の機能構成を表す機能ブロック図である。監視制御装置２００は、監視制御プログラムを実行することによって第１通信部２０１、第２通信部２０２、入力部２０３、表示部２０４、監視データ記憶部２０５及び制御部２０６を備える装置として機能する。
【００２６】
第１通信部２０１は、ネットワークインタフェースである。通信部１０１は第１閉域ネットワーク４０１を介して、他の監視制御装置２００又は端末装置１００と通信する。第１通信部２０１は、例えば無線ＬＡＮ又は有線ＬＡＮ等の通信方式で通信してもよい。第１通信部２０１は、広域ネットワーク４０３を介して端末装置１００と通信してもよい。
【００２７】
第２通信部２０２は、ネットワークインタフェースである。第２通信部２０２は第２閉域ネットワーク４０２を介して、コントローラ３００と通信する。第２通信部２０２は、例えば無線ＬＡＮ、有線ＬＡＮ、３Ｇ又はＬＴＥ等の通信方式で通信してもよい。
【００２８】
入力部２０３は、ユーザが監視制御装置２００に対して指示を送る入力装置を用いて構成される。入力装置は、例えば、タッチペン、マウス、キーボード及びリモコン等である。入力部２０３は、表示部２０４と一体のタッチパネルとして構成されてもよい。入力部２０３がタッチパネルとして構成される場合、入力部２０３は、タッチ入力を受け付ける。入力部２０３は、入力装置を監視制御装置２００に接続するためのインタフェースであってもよい。この場合、入力部２０３は、入力装置において入力された入力信号から入力データ（例えば、監視制御装置２００に対する指示を示す指示情報）を生成し、監視制御装置２００に入力する。
【００２９】
表示部２０４は、液晶ディスプレイ、有機ＥＬディスプレイ等の出力装置である。表示部２０４は、出力装置を監視制御装置２００に接続するためのインタフェースであってもよい。この場合、表示部２０４は、映像データから映像信号を生成し、自身に接続されている映像出力装置に映像信号を出力する。
【００３０】
監視データ記憶部２０５は、磁気ハードディスク装置や半導体記憶装置等の記憶装置を用いて構成される。監視データ記憶部２０５は、監視データを記憶する。監視データは、監視対象機器からコントローラ３００によって取得されたデータである。
【００３１】
制御部２０６は、監視制御装置２００の各部の動作を制御する。制御部２０６は、例えばＣＰＵ及びＲＡＭを備えた装置により実行される。制御部２０６は、監視制御プログラムを実行することによって、データ取得部２０７、同期処理部２０８、送信部２０９及び指示部２１０として機能する。
【００３２】
データ取得部２０７は、コントローラ３００から監視データを取得する。データ取得部２０７は、取得した監視データを監視データ記憶部２０５に記憶させる。
【００３３】
同期処理部２０８は、端末装置１００からの同期信号を受け付ける。同期処理部２０８は、同期信号を受け付けると、端末装置１００と監視データ及び処理に関する同期をとるための同期信号を端末装置１００に送信する。同期処理部２０８は、同期信号を受信すると、監視制御装置２００が記憶する監視データと同一の監視データが端末装置１００に記憶されるように端末装置１００と同期をとる。同期処理部２０８は、監視制御装置２００に行われた処理（例えば、監視データを受信した、監視対象機器の異常）等を同期がとられた端末装置１００へリアルタイムに送信する。同期処理部２０８は、端末装置１００との通信が切断された場合、表示部２０４に対してエラー出力やメッセージ表示等の表示を行わない。同期処理部２０８は、通信状態が悪化（例えば、パケットロスが所定の閾値を超える等）する場合、端末装置１００との通信状態を改善させる処理を行ってもよい。通信状態を改善させる処理は、例えば、パケットの再送要求であってもよいし、どのような方法であってもよい。
【００３４】
同期処理部２０８は、監視制御装置２００と端末装置１００とが同期がとられている場合、端末装置１００から指示を受け付けると、コントローラ３００を介して監視対象機器に対して指示を送信する。同期処理部２０８は、コントローラ３００から指示の結果が返ってきた場合、端末装置１００に結果を送信する。同期処理部２０８は、第２同期処理部の一態様である。
【００３５】
送信部２０９は、監視データ記憶部２０５に記憶される監視データを端末装置１００に送信する。送信部２０９は、端末装置１００と監視制御装置２００とが通信を開始した場合に、監視データを送信してもよいし、監視データを受信する都度、受信した監視データを端末装置１００に送信してもよい。
【００３６】
指示部２１０は、指示情報をコントローラ３００に送信する。指示部２１０が送信する指示情報は、入力部２０３から受け付けた指示情報である。
【００３７】
図４は、実施形態のコントローラ３００の機能構成を表す機能ブロック図である。コントローラ３００は、監視制御プログラムを実行することによって通信部３０１及び制御部３０２を備える装置として機能する。
【００３８】
通信部３０１は、ネットワークインタフェースである。通信部３０１は第２閉域ネットワーク４０２を介して、監視制御装置２００と通信する。通信部３０１は、例えば無線ＬＡＮ、有線ＬＡＮ、３Ｇ又はＬＴＥ等の通信方式で通信してもよい。
【００３９】
制御部３０２は、コントローラ３００の各部の動作を制御する。制御部３０２は、例えばＣＰＵ及びＲＡＭを備えた装置により実行される。制御部３０２は、監視制御プログラムを実行することによって、取得部３０３、転送部３０４及び処理部３０５として機能する。
【００４０】
取得部３０３は、監視対象機器から監視データを取得する。転送部３０４は、取得した監視データを監視制御装置２００に送信する。処理部３０５は、監視制御装置２００から受け付けた指示に応じて、処理を実行する。指示は、例えば、監視対象機器の状態を確認する指示や、試験的に監視対象機器を稼働させる等の指示である。
【００４１】
図５は、実施形態の試験の処理の流れの一具体例を示すフローチャートである。端末装置１００の入力部１０２は、ユーザから同期指示を受け付ける（ステップＳ１０１）。同期処理部１０６は、監視制御装置２００に同期信号を送信する（ステップＳ１０２）。監視制御装置２００の同期処理部２０８は、同期信号を受信すると、送信元の端末装置１００に対して同期信号を送信する（ステップＳ１０３）。端末装置１００及び監視制御装置２００が互いに同期信号を送信することで、両装置は同期がとられる。
【００４２】
端末装置１００のデータ取得部１０７は、監視制御装置２００に対して監視データを要求する（ステップＳ１０４）。監視制御装置２００の送信部２０９は、監視データ記憶部２０５から監視データを取得する（ステップＳ１０５）。送信部２０９は、監視データを端末装置１００に送信する（ステップＳ１０６）。データ取得部１０７は、受信した監視データを監視データ記憶部１０４に記憶させる（ステップＳ１０７）。端末装置１００の画面データ生成部１０８は、監視データに基づいて監視制御画面を表示部１０３に表示させる（ステップＳ１０８）。
【００４３】
端末装置１００の指示部１０９は、ユーザから入力部１０２を介してテスト指示を受付ける（ステップＳ１０９）。テスト指示とは、例えば、監視対象機器の状態を確認する指示や、試験的に監視対象機器を稼働させる等の入力である。指示部１０９は、テスト指示を監視制御装置２００へ送信する（ステップＳ１１０）。監視制御装置２００の同期処理部２０８は、テスト指示をコントローラ３００に送信する（ステップＳ１１１）。コントローラ３００の処理部３０５は、テスト指示を受信すると、テスト指示に応じて監視対象機器に対して処理を実行する（ステップＳ１１２）。
【００４４】
コントローラ３００の処理部３０５は、テスト結果を監視制御装置２００に送信する（ステップＳ１１３）。監視制御装置２００の同期処理部２０８は端末装置１００にテスト結果を送信する（ステップＳ１１４）。画面データ生成部１０８はテスト結果を表示部１０３に表示させる（ステップＳ１１５）。
【００４５】
このように構成された試験支援システム１では、端末装置１００の同期処理部１０６が監視制御装置２００に同期信号を送信することで、監視制御装置２００と同期をとることができ、監視データを取得できる。端末装置１００の画面データ生成部１０８は、取得したデータから監視制御画面を生成する。試験員は、端末装置を監視制御装置２００として使用できるようになる。したがって、端末装置１００と監視制御装置２００とが同期をとることによって、図６に示されるようにリモートサーバ５００や、監視制御装置２００のソフトウェア設計及びソフトウェア変更することなく、監視制御装置２００の増設が可能となる。また、試験員は、端末装置１００の表示部１０３を確認することで、インタフェース試験中にプラント全体の状態を確認できる。したがって、試験員は、プラント全体の状態を確認しながら作業することで、試験作業における安全性を向上させることができる。
【００４６】
このように構成された試験支援システム１では、試験員は、インタフェース試験でプラントの現場操作盤で監視対象機器を操作する。このとき、端末装置１００の表示部１０３には、監視対象機器の状態が表示される。試験員は、表示部１０３を見ることで、監視対象機器の状況を確認できる。したがって、他の試験員との頻繁な無線連絡や電話連絡が必要なくなり、作業効率が向上する。
【００４７】
入力部１０２が試験員からの指示を受け付けると、指示部１０９は、監視対象機器に対して受け付けた指示を送信する。監視対象機器は、指示に応じた処理を実行する。画面データ生成部１０８は、処理の結果を表示部１０３に表示させる。試験員は、表示部１０３を見ることで、監視対象機器の処理結果をすぐに確認できる。したがって、試験員は、インタフェース試験で、リレー回路、ＰＬＣソフト、監視制御装置ソフトの試験を一度に行うことができ、現地インタフェース試験を効率的に実施できる。さらに、試験員が現地で表示部１０３を見ることで、監視制御装置２００が設置された場所に試験員の配置を行う必要がなくなる。
【００４８】
監視制御装置２００は、同期をとっている端末装置１００との通信が切断された場合であっても、何らの処理も行わない。したがって、プラントの運転員によるプラント監視業務に支障をきたすことなく、インタフェース試験を行うことができる。
【００４９】
上記各実施形態では、同期処理部１０６及び画面データ生成部１０８はソフトウェア機能部であるものとしたが、ＬＳＩ等のハードウェア機能部であってもよい。
【００５０】
以上説明した少なくともひとつの実施形態によれば、同期処理部１０６及び画面データ生成部１０８を持つことにより、より簡単に遠隔地に中央監視装置を増設することができる。
【００５１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５２】
１…試験支援システム、１００…端末装置、１０１…通信部、１０２…入力部、１０３…表示部、１０４…監視データ記憶部、１０５…制御部、１０６…同期処理部、１０７…データ取得部、１０８…画面データ生成部、１０９…指示部、２００…監視制御装置、２０１…第１通信部、２０２…第２通信部、２０３…入力部、２０４…表示部、２０５…監視データ記憶部、２０６…制御部、２０７…データ取得部、２０８…同期処理部、２０９…送信部、２１０…指示部、３００…コントローラ、３０１…通信部、３０２…制御部、３０３…取得部、３０４…転送部、３０５…処理部
【図１】
2019032702.tif 000003
【図２】
2019032702.tif 000004
【図３】
2019032702.tif 000005
【図４】
2019032702.tif 000006
【図５】
2019032702.tif 000007
【図６】
2019032702.tif 000008